【事件の表示】
　特願２００１−２６２０９０「輸液装置」拒絶査定不服審判事件〔平成１５年３月１１日出願公開、特開２００３−７０９０９号〕について、次のとおり審決する。
【結　論】
　本件審判の請求は、成り立たない。
【理　由】
 １．手続の経緯・本願発明  
　本願は、平成１３年８月３０日の出願であって、平成１６年６月２９日付けで拒絶査定がなされ、同年８月６日に拒絶査定に対する審判請求がなされるとともに、同年９月６日付けで手続補正書が提出されたものである。  
　そして、本願の請求項１ないし６に係る発明は、上記手続補正書により補正された、特許請求の範囲の請求項１ないし６に記載された事項により特定されるとおりのものと認められるところ、その請求項１には以下の発明（以下、「本願発明」という。）が記載されている。  
「シリンジ外筒内に吸子を押圧する押圧ホルダと、この押圧ホルダを駆動するパルス駆動モータと、上記吸子の押圧方向に沿って配置したスリット板及び上記押圧ホルダと共に移動される位置検出部とを有するインクリメンタルリニアエンコーダと、上記インクリメンタルリニアエンコーダからのエンコーダパルス数をカウントする手段と、上記モータに対するモータ移動量指令パルスをカウントする手段と、上記スリット板に沿って設けた確定位置検出センサとより成り、
　上記確定位置検出センサを、上記押圧ホルダが上記吸子から離間しているスタート位置と、上記吸子に接する注液開始位置との間に設け、上記確定位置検出センサが上記位置検出部によって検知されたとき、上記エンコーダパルスカウント手段のカウントをリセットし、上記押圧ホルダの移動に応じてエンコーダパルスのカウントを開始せしめ、上記押圧ホルダが上記吸子に係合して注液を開始する位置で上記エンコーダパルスカウント手段のカウント値を保存し、注液開始時の押圧ホルダの位置とシリンジ固有の注液終了位置までの距離と、設定されている注液速度とにより、注液終了までの所要時間を演算し表示するようにしたことを特徴とする輸液装置。」
          　
２．引用刊行物に記載された発明  
２−１．引用例１について
　これに対して、原査定の拒絶の理由に引用した、特開平１１−２６７２０２号公報（以下、「引用例１」という。）には、図面とともに次の事項が記載されている。  
　  
(a)「【特許請求の範囲】
【請求項１】  シリンジ外筒内で移動する吸子の送り軸を駆動するパルス同期式の駆動回路により駆動されるモータと、上記送り軸に沿って配置した多数のスリットを上記送り軸方向に互に離間して設けたスリット板及び上記吸子と共に移動される位置検出部とを有するインクリメンタルリニアエンコーダと、上記送り軸に沿った確定位置に設けた少くとも１個の確定位置検出センサと、上記モータに対する移動量指令パルス数と上記インクリメンタルリニアエンコーダの出力を示すパルス数とを比較し両者の相関状態を定める手段と、上記移動量指令パルスをカウントする手段と、上記確定位置検出センサが上記吸子の位置を検知した時に上記カウント手段のカウントを記憶又はリセットし、次いでカウントを開始せしめる手段とより成り、吸子の絶対位置を認識できることを特徴とする輸液装置。」（第２ページ左欄、特許請求の範囲、請求項１） 
　 
(b)「上述の如き構成においては、安価なインクリメンタルリニアエンコーダにより吸子を移動させるキャリッジ部の移動動作を直接的に検出することができる。さらに、取り付け位置の予め確定している個所のセンサをキャリッジがよぎった位置から１パルスあたりの移動量が予め確定している移動指令パルスの数をカウントすることで、吸子の絶対位置を認識することができる。これにより、例えば、シリンジの注液終了直前位置や、注液終了位置を認知することにも利用できる。」（第３ページ、段落【０００６】） 
　 
(c)「図１に示すように、送りネジ７と平行にスリット板１７を配置し、該スリット板１７に対向して、吸子１５を押すホルダ９に固定的に係合したキャリッジ８に固着されたホトカプラ１８を配置してインクリメンタルリニアエンコーダを構成する。また、キャリッジ８に確定位置検出ドグ２０を取り付け、確定位置検出センサ１９をキャリッジ８の移動により動作させる構造となっている。
　本発明の動作は、ＣＰＵ１からパルス同期式モータ駆動回路２３へ送られる指令パルスによりモータ５が回転し、歯車６と送りねじ７の作用でキャリッジ８が動作すると、送り軸方向に配置したスリット板１７と、キャリッジ８に固着されたホトカプラ１８との間で発生したパルス信号をエンコーダ信号処理回路４で処理し、エンコーダパルスカウンタ２２にキャリッジの移動情報として送ることで、ＣＰＵ１はキャリッジ移動を直接モニタすることができる。この時、ＣＰＵ１は単位時間毎に指令パルスカウンタ２１をモニタすることで認識できる移動指令量と、エンコーダパルスカウンタ２２をモニタすることで認識できるキャリッジ８の実際の移動量を比較することで、指令と実移動に関する２種類のパルス間の相関状態を検出できる。ここで、相関状態が維持されているならば、正しく指令通りキャリッジ８が動作していることが成立するので、予め絶対位置の確定している確定位置検出センサ１９をキャリッジ８に取り付けた確定位置検出ドグ２０がよぎることで発生した信号を確定位置検出センサ信号処理回路１６で処理し、ＣＰＵ１に位置情報として送ることで、該センサの出力で指令パルスカウンタ２１の値を記憶又はリセットし、指令パルスの１パルスあたりの移動量が予め確定しているので、その位置からＣＰＵ１がパルス同期式モータ駆動回路２３へ送るモータ５への移動指令である指令パルスのカウントを開始することで、キャリッジ８の絶対位置を認識することができる。従って、該キャリッジ８に固着されたホルダ９に係合された吸子１５の絶対位置を認識することができる。
　この構成の場合、モータ５を指令パルスで駆動させながら確定位置センサ１９を初めて通過したときに、初めて絶対位置を認識することができるので、確定位置検出センサ１９を動作範囲の中に複数設置しておけば、多くの箇所からの動作開始に対しても早期に吸子の絶対位置を認識することができる構成となる。」（第３ページ、段落【０００９】〜【００１１】） 
　　 
(d)第１図にはシリンジ外筒１４内に吸子１５が設けられていることが図示されている。
              　
　上記(a)ないし(d)の事項を総合すると、引用例１には以下の発明（以下、「引用発明１」という。）が記載されているといえる。  
　 
「シリンジ外筒１４内に吸子１５を押圧するホルダ９と、このホルダ９を駆動するモータ５と、上記吸子１５の押圧方向に沿って配置したスリット板１７及び上記ホルダ９と共に移動されるホトカプラ１８及び確定位置検出ドグ２０とを有するインクリメンタルリニアエンコーダと、上記インクリメンタルリニアエンコーダからのエンコーダパルス数をカウントするエンコーダパルスカウンタ２２と、上記モータ５に対するモータ移動量指令パルスをカウントする指令パルスカウンタ２１と、上記スリット板１７に沿って設けた確定位置検出センサ１９を備える輸液装置。」
    　
２−２．引用例２について
　同じく原査定の拒絶の理由に引用した、特開２０００−７０３６５号公報（以下、「引用例２」という。）には、図面とともに以下の記載がなされている。
          　
(e)「注液開始時の絶対位置をＹ0とし、キャリッジ９に係合されたスライダー４の現在位置をＹ1とするとスライダー４の移動距離（Ｙ1ーＹ0）とにより現在時点の輸液量が計算できる。」（第３ページ段落【００１１】）
      　
(f)「図３に示す装置の動作は、・・・（省略）・・・演算装置が記憶装置１７に記憶されている各種のシリンジの外径寸法と内径寸法との関係データと照合して、計測されたシリンジの内径寸法を選定して輸液量の計算工程に出力し、該出力データと前記スライダーの送り量の検出データとを演算して輸液開始より現在までの輸液量を算出して表示装置２２に表示させる。
　又、図３の装置の、前記記憶装置１７に各シリンジ毎に輸液が終了するときのスライダー４の絶対位置を追加記憶させることにより、前記スライダーの送り量より計算した現在の単位時間当たりの輸液量よりシリンジ内の薬液が無くなり輸液が終了するまでの所要時間を制御装置１６で演算して表示装置２２に表示する。」（第３ページ段落【００１４】〜【００１５】）
        　
３．対比、判断 
　本願発明と引用発明１を対比すると、その構造や機能からみて、引用発明１の「シリンジ外筒１４」、「吸子１５」、「ホルダ９」、「モータ５」、「スリット板１７」、「ホトカプラ１８及び確定位置検出ドグ２０」、「エンコーダパルスカウンタ２２」、「指令パルスカウンタ２１」、及び「確定位置検出センサ１９」は、それぞれ本願発明の「シリンジ外筒」、「吸子」、「押圧ホルダ」、「パルス駆動モータ」、「スリット板」、「位置検出部」、「エンコーダパルス数をカウントする手段」、「モータ移動量指令パルスをカウントする手段」、及び「確定位置検出センサ」に相当する。
　したがって、本願発明と引用発明１の一致点及び相違点は次のとおりである。
（一致点）
「シリンジ外筒内に吸子を押圧する押圧ホルダと、この押圧ホルダを駆動するパルス駆動モータと、上記吸子の押圧方向に沿って配置したスリット板及び上記押圧ホルダと共に移動される位置検出部とを有するインクリメンタルリニアエンコーダと、上記インクリメンタルリニアエンコーダからのエンコーダパルス数をカウントする手段と、上記モータに対するモータ移動量指令パルスをカウントする手段と、上記スリット板に沿って設けた確定位置検出センサを備える輸液装置。」
    　
（相違点）
　本願発明は、「上記確定位置検出センサを、上記押圧ホルダが上記吸子から離間しているスタート位置と、上記吸子に接する注液開始位置との間に設け、上記確定位置検出センサが上記位置検出部によって検知されたとき、上記エンコーダパルスカウント手段のカウントをリセットし、上記押圧ホルダの移動に応じてエンコーダパルスのカウントを開始せしめ、上記押圧ホルダが上記吸子に係合して注液を開始する位置で上記エンコーダパルスカウント手段のカウント値を保存し、注液開始時の押圧ホルダの位置とシリンジ固有の注液終了位置までの距離と、設定されている注液速度とにより、注液終了までの所要時間を演算し表示する」のに対し、引用発明１はそのような構成を備えていない点。
            　
　上記相違点について検討する。
　始めに引用例２をみると、引用例２の「スライダー４」は本願発明の「押圧ホルダ」に相当するものである。そして引用例２に記載の輸液装置は、スライダー４の「注液開始時の絶対位置Ｙ0」（上記記載事項(e)）及び「各シリンジ毎に輸液が終了するときのスライダー４の絶対位置」（上記記載事項(f)）を記憶する機能を備えているから、「単位時間当たりの輸液量」（上記記載事項(f)）を用いて、注液開始から注液終了までの時間を演算することができることは明白なことといえる。
　したがって、上記記載事項(e)及び(f) を総合し、本願発明の用語を用いて表現すると、引用例２には以下の発明（以下、「引用発明２」という。）が記載されているといえる。
「注液開始時の押圧ホルダの位置とシリンジ固有の注液終了位置までの距離と、設定されている注液速度とにより、注液終了までの所要時間を演算し表示する輸液装置。」
   　
　ところで、一般に、引用例１にみられるような輸液装置において、患者の症状や体型等に応じて、所定液量の薬剤を所定速度（所定時間）で正確に注入することや、輸液終了までの正確な時間を推測できるようにすることは、患者側、病院側のいずれからみても、薬剤を安全且つ適正に投与する上で、輸液装置に要求される当然の技術的課題といえる。
　ここで、（シリンジの断面積）×（注液開始から注液終了までのストローク）＝（全注液量）であり、移動速度が一定であることを前提とすれば、（ストローク）／（移動速度）＝（注液時間）であることは当該技術分野における技術的常識であると解される。
   　
　上記技術的課題ないしは技術的常識を前提にすれば、引用例１において、「シリンジの注液終了直前位置や、注液終了位置を認知する」（上記記載事項(b)参照）ためには、注液終了直前位置や、注液終了位置のみならず、何らかの手段で、注液開始における吸子の絶対位置を正確に認識しなければ、上記「シリンジの注液終了直前位置や、注液終了位置を認知する」ことが不可能であることは明白なことといえるから、引用例１には、注液開始における吸子の絶対位置を正確に認識することについて強い示唆がなされているものと解すべきである（以下これを「引用例１に示唆されている事項１」という。）。
　また、引用例１には「確定位置検出センサ１９を動作範囲の中に複数設置しておけば、多くの箇所からの動作開始に対しても早期に吸子の絶対位置を認識することができる構成となる」（上記記載事項(c)参照）ことが記載されており、これは、確定位置検出センサを、より吸子の動作の開始位置側に配置すれば、より早期に吸子の絶対位置を認識することができることを示唆している（以下これを「引用例１に示唆されている事項２」という。）。
  　
　一方、引用例１には「予め絶対位置の確定している確定位置検出センサ１９をキャリッジ８に取り付けた確定位置検出ドグ２０がよぎることで・・・従って、該キャリッジ８に固着されたホルダ９に係合された吸子１５の絶対位置を認識することができる。」（上記記載事項(c)参照）という記載からみて、「確定位置検出センサが確定位置検出ドグによって検知されたとき、エンコーダパルスカウンタのカウントをリセットし、ホルダ（押圧ホルダ）の移動に応じてエンコーダパルスのカウントを開始」することによって、吸子の絶対位置を認識するというアルゴリズム（以下これを「引用例１に記載されたアルゴリズム」という。）が記載されているといえる。そして、このアルゴリズムは、絶対位置を計測すべき位置の手前でカウンタをリセットしてからカウントを開始し、カウンタ値を絶対位置に変換するものである。
  　
　以上勘案すると、上記引用例１に示唆されている事項１及び２を踏まえ、上記引用例１に記載されたアルゴリズムを用いて、注液を開始するときの吸子の位置を認識することは、当業者がごく自然に想起し得ることであり、その際、少なくとも注液を開始するときの吸子の位置よりも手前に確定位置検出センサを配置しなければならないことは明らかであるから、確定位置検出センサの位置を「押圧ホルダが吸子から離間しているスタート位置と、吸子に接する注液開始位置との間」としておいて、その上で「確定位置検出センサが確定位置検出ドグによって検知されたとき、エンコーダパルスカウンタのカウントをリセットし、押圧ホルダの移動に応じてエンコーダパルスのカウントを開始」することは当業者が容易に想到し得ることである。その際に、「押圧ホルダが吸子に係合して注液を開始する位置でエンコーダパルスカウント手段のカウント値を保存」することは、注液終了までの所要時間を演算するにあたり、当業者が当然採用しなければならない程度の設計的事項にすぎず、また、「注液開始時の押圧ホルダの位置とシリンジ固有の注液終了位置までの距離と、設定されている注液速度とにより、注液終了までの所要時間を演算し表示する」ことは、引用発明２に基づいて、当業者が適宜付加し得たものである。
　以上のことから、本願発明の上記相違点に係る構成とすることは当業者が容易になし得たものである。
　
　よって、本願発明は、引用発明１、引用例１に記載されたアルゴリズム、引用例１に示唆されている事項１、２、及び引用発明２に基いて当業者が容易になし得たものである。 
　 
４．むすび  
　以上のとおりであるから、本願発明は、その出願前に日本国において頒布された刊行物に記載された発明に基いて、当業者が容易に発明をすることができたものであるから、特許法第２９条第２項の規定により特許を受けることができない。  
　よって、結論のとおり審決する。